(57)【特許請求の範囲】
【請求項１】
自機器の運転に係る情報を表示する表示部を備える電気機器と、該電気機器と無線通信可能であり、前記電気機器から受信した情報に基づく画像を表示する表示装置とを含む表示システムにおいて、
前記電気機器は、
自機器から所定範囲内に前記表示装置がある場合、前記表示部が表示中の表示情報に対応する取扱説明情報上の対応情報を、自機器の取扱説明情報から取得する取得手段と、
取得された対応情報を前記表示装置に送信する送信部とを備え、
前記表示装置は、
前記電気機器から前記対応情報を受信して表示するように構成されており、
前記取扱説明情報を記憶しているウェブサーバを更に含み、
前記取得手段が取得すべき情報量が閾値以上である場合、前記送信部が前記ウェブサーバのＵＲＬを前記表示装置に送信するように構成されていることを特徴とする表示システム。
【請求項２】
前記表示装置が一の対応情報を表示中に、前記表示部での表示情報が変更された場合、
前記取得手段が変更後の表示情報に対応する他の対応情報を前記取扱説明情報から取得し、
前記表示装置が前記他の対応情報を表示するように構成されていることを特徴とする請求項１に記載の表示システム。
【請求項３】
前記表示装置は、
表示中の対応情報に係る指示であって、前記電気機器に送信すべき指示を受け付ける指示受付手段を備え、
前記指示を前記電気機器に送信するように構成していることを特徴とする請求項１又は２に記載の表示システム。
【請求項４】
前記指示受付手段は、
前記表示装置が表示中の対応情報に関連する関連情報の表示を要求する指示を受け付ける第１指示受付手段を有することを特徴とする請求項３に記載の表示システム。
【請求項５】
前記指示受付手段は、
表示中の対応情報が前記電気機器の操作の方法に係る内容を含む場合、
前記操作を受け付ける操作画面を前記表示部に表示する指示を受け付ける第２指示受付手段を有することを特徴とする請求項３又は４に記載の表示システム。
【請求項６】
前記指示受付手段は、
表示中の対応情報が特定連絡先への連絡に係る内容を含む場合、
前記特定連絡先との連絡に係る情報の表示を要求する指示を受け付ける第３指示受付手段を有することを特徴とする請求項３から５の何れかに記載の表示システム。
【請求項７】
前記電気機器及び表示装置は互いにＮＦＣ方式を用いて通信するように構成されていることを特徴とする請求項１から６の何れかに記載の表示システム。 
【発明の詳細な説明】
【技術分野】
【０００１】
本発明は、自機器の運転に係る情報を表示する表示部を備える電気機器と、該電気機器と無線通信可能であり、前記電気機器から受信した情報に基づく画像を表示する表示装置とを含む表示システムに関する。
【背景技術】
【０００２】
近年、電気機器は多様な機能を有することから、該電気機器に対する取扱説明書の情報量が膨大になりつつある。そこで、斯かる取扱説明書を電子化した、取扱説明書の電子情報を、当該機器のメモリ内に格納しておき、必要に応じて、ユーザがＰＣ等の端末からネットワークを経由して該電気機器に接続して閲覧乃至ダウンロードできるようにしてある。
【０００３】
一方、特許文献１においては、画像形成装置において、コピー機能を使用しているときにコピー倍率設定キーを押下すると、予め関連付けテーブルに記憶されたコピー倍率設定キーに関連付けされた操作マニュアルの電子データがハードディスクから読出され、この電子データを用いて取説表示エリアに操作情報が表示されることについて開示されている。
【先行技術文献】
【特許文献】
【０００４】
【特許文献１】特開２０１０−１８５９９４号公報
【発明の概要】
【発明が解決しようとする課題】
【０００５】
しかし、上述したような特許文献１に係る画像形成装置においては、読み出された操作マニュアルの電子データを表示するために、取説表示エリアを別途設ける必要がある。また、取説表示エリアを別途設けない場合は、既存の表示部を割愛し、装置の運転に係る操作画面と、前記操作マニュアルの電子データに係る画像とを共に表示する必要がある。
【０００６】
なお、既存の表示部を割愛して表示しない場合は、すなわち、該表示部全体に操作マニュアルの電子データに係る画像のみを表示する場合は、該表示の途中で操作画面を表示する必要が生じた場合、該操作画面を表示させるための操作を行うこととなり使い勝手が悪い。
【０００７】
本発明は、斯かる事情に鑑みてなされたものであり、その目的とするところは、自機器の運転に係る情報を表示する表示部を備える電気機器と、該電気機器と無線通信可能であり、前記電気機器から受信した情報に基づく画像を表示する表示装置とを含む表示システムにおいて、前記電気機器は、自機器から所定範囲内に前記表示装置がある場合、前記表示部がその際表示している表示情報に対応する対応情報を自機器の取扱説明情報から取得して、取得した対応情報を前記表示装置に送信し、前記表示装置は該対応情報に基づいた表示を行うことにより、取扱説明情報を表示するための表示領域を別途に設けず、前記表示部を分割して表示しなくても、該取扱説明情報を表示できる表示システムを提供することにある。
【課題を解決するための手段】
【０００８】
本発明に係る表示システムは、自機器の運転に係る情報を表示する表示部を備える電気機器と、該電気機器と無線通信可能であり、前記電気機器から受信した情報に基づく画像を表示する表示装置とを含む表示システムにおいて、前記電気機器は、自機器から所定範囲内に前記表示装置がある場合、前記表示部が表示中の表示情報に対応する対応情報を、自機器の取扱説明情報から取得する取得手段と、取得された対応情報を前記表示装置に送信する送信部とを備え、前記表示装置は、前記電気機器から前記対応情報を受信して表示するように構成されていることを特徴とする。
【０００９】
本発明に係る表示システムは、前記表示装置が一の対応情報を表示中に、前記表示部での表示情報が変更された場合、前記取得手段が変更後の表示情報に対応する他の対応情報を前記取扱説明情報から取得し、前記表示装置が前記他の対応情報を表示するように構成されていることを特徴とする。
【００１０】
本発明に係る表示システムは、前記表示装置は、表示中の対応情報に係る指示であって、前記電気機器に送信すべき指示を受け付ける指示受付手段を備え、前記指示を前記電気機器に送信するように構成していることを特徴とする。
【００１１】
本発明に係る表示システムは、前記指示受付手段は、前記表示装置が表示中の対応情報に関連する関連情報の表示を要求する指示を受け付ける第１指示受付手段を有することを特徴とする。
【００１２】
本発明に係る表示システムは、前記指示受付手段は、表示中の対応情報が前記電気機器の操作の方法に係る内容を含む場合、前記操作を受け付ける操作画面を前記表示部に表示する指示を受け付ける第２指示受付手段を有することを特徴とする。
【００１３】
本発明に係る表示システムは、前記指示受付手段は、表示中の対応情報が特定連絡先への連絡に係る内容を含む場合、前記特定連絡先との連絡に係る情報の表示を要求する指示を受け付ける第３指示受付手段を有することを特徴とする。
【００１４】
本発明に係る表示システムは、前記取扱説明情報を記憶しているウェブサーバを備え、前記取得手段が取得すべき情報量が閾値以上である場合、前記送信部が前記ウェブサーバのＵＲＬを前記表示装置に送信するように構成されていることを特徴とする。
【００１５】
本発明に係る表示システムは、前記電気機器及び表示装置は互いにＮＦＣ方式を用いて通信するように構成されていることを特徴とする。
【発明の効果】
【００１６】
本発明によれば、前記電気機器に自機器の取扱説明情報を表示するための表示領域を別途に設ける必要がなく、該電気機器の表示部を分割して取扱説明情報を表示することもなく、該取扱説明情報を表示できる。
【図面の簡単な説明】
【００１７】
【図１】本発明の実施の形態１に係る表示システムの概念図である。
【図２】本発明の実施の形態１に係る表示システムに係る複合機及びモバイル端末の要部構成を示すブロック図である。
【図３】本発明の実施の形態１に係る表示システムの複合機における、制御部を説明する機能ブロック図である。
【図４】本発明の実施の形態１に係る表示システムのモバイル端末における、制御部を説明する機能ブロック図である。
【図５】本発明の実施の形態１に係る表示システムにおいて、複合機及びモバイル端末による処理手順を示すフローチャートである。
【図６】本発明の実施の形態１に係る表示システムのモバイル端末における、対応情報の表示を説明する説明図である。
【図７】本発明に係る表示システムにおける、対応情報の表示の一例を示す例示図である。
【図８】本発明の実施の形態２に係る表示システムにおいて、複合機及びモバイル端末による処理手順を示すフローチャートである。
【図９】本発明の実施の形態３に係る表示システムにおいて、複合機及びモバイル端末による処理手順を示すフローチャートである。
【図１０】本発明の実施の形態３に係る表示システムのモバイル端末における、対応情報及び関連情報の表示を例示する例示図である。
【図１１】本発明の実施の形態４に係る表示システムにおいて、複合機及びモバイル端末による処理手順を示すフローチャートである。
【図１２】本発明の実施の形態３に係る表示システムのモバイル端末における、対応情報及び関連操作画面情報の表示を例示する例示図である。
【図１３】本発明の実施の形態５に係る表示システムにおいて、複合機及びモバイル端末による処理手順を示すフローチャートである。
【図１４】本発明の実施の形態５に係る表示システムのモバイル端末における、対応情報及び連絡先概要情報の表示を例示する例示図である。
【発明を実施するための形態】
【００１８】
以下に、本発明の実施の形態に係る表示システムを、該表示システムに係る電気機器及び表示装置が各々画像形成装置（複合機）及び携帯電話機（スマートフォン）である場合を例として、図面に基づいて詳述する。
【００１９】
（実施の形態１）
図１は本発明の実施の形態１に係る表示システム１００の概念図であり、図２は本発明の実施の形態１に係る表示システム１００に係る複合機１及びモバイル端末２の要部構成を示すブロック図である。実施の形態１に係る表示システム１００は、複合機１及びモバイル端末２、及びウェブサーバ３を備えている。
【００２０】
複合機１は、ネットワークに接続されており、該ネットワークを介してウェブサーバ３と接続されている。また、複合機１は、自機に係る取扱説明書の電子情報（以下、取扱説明情報）を有しており、また、モバイル端末２とＮＦＣ（Near Field Communication／近距離通信）方式の通信できるように構成されている。
【００２１】
複合機１は、制御部１１、画像入力部１７、画像処理部１８、画像出力部１９、記憶部１４、無線通信部１６、リーダライタ１５及び操作パネル１２等のハードウェアを備え、全体としてデジタル複合機を構成している。
【００２２】
記憶部１４は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されており、画像処理用の画像データ、自機の取扱に関する説明の取扱説明情報等を記憶している。また、記憶部１４には、後述するＷＦＤ方式に従って通信を行うための通信制御プロブラムが記憶されている。
【００２３】
更に、記憶部１４には、後述するＷｉ‐Ｆｉ方式の通信による接続に必要な情報（以下、Ｗｉ‐Ｆｉ接続情報という。）、例えば、ＳＳＩＤ、暗号キー、暗号化方式等を記憶している。更に、予めパスキーが複数格納されており、制御部１１はユーザからパスキーを受け付けた場合、該パスキーと、記憶部１４に記憶のパスキーとの比較を行う。
【００２４】
また、操作パネル１２は、ユーザの指示を受け付けるための各種ボタン、指示の確定を受け付けるエンターキー、テンキー等を備えている。また、操作パネル１２は、ＬＣＤ又はＥＬ（Electroluminescence）パネル等の表示部１３を備えている。また、操作パネル１２は、ＮＦＣ方式の通信端末の位置、すなわち後述するリーダライタ１５の位置を示す通信端末位置表示１２１（図６参照）を有している。ユーザがモバイル端末２を通信端末位置表示１２１にかざすことにより、複合機１及びモバイル端末２間のＮＦＣ方式通信の接続が確立される。
【００２５】
表示部１３は、複合機１の状態、ジョブ処理の状況、ユーザの操作を受け付ける画面（以下、操作画面）及び操作パネル１２の操作内容の確認等、ユーザに対して報知すべき情報を表示する。また、表示部１３は前記取扱説明情報に係る画像を表示し、モバイル端末２からの指示に応じて所定の画像を表示する。更に、表示部１３はタッチパネルとして機能するように構成されている。
【００２６】
画像入力部１７は、原稿の画像を光学的に読取る読取手段であり、読取用の原稿に光を照射する光源、例えばＣＣＤ（Charge Coupled Device）のようなイメージセンサ等を備えている。画像入力部１７では、所定の読取り位置にセットされた原稿からの反射光像を当該イメージセンサに結像させ、ＲＧＢ（R : Red, G : Green, B : Blue）のアナログ電気信号を出力する。画像入力部１７が出力したアナログ電気信号は画像処理部１８に入力される。
【００２７】
画像出力部１９は、画像処理部１８から出力される画像データに基づいて用紙、ＯＨＰフィルム等のシート上に画像形成を行う。そのため、画像出力部１９は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて利用者が所望する画像をシート上に形成する。なお、レーザ書込装置を用いた電子写真方式により画像形成を行う他、インクジェット方式、熱転写方式、昇華方式等により画像形成を行う構成であってもよい。
【００２８】
画像処理部１８は、画像入力部１７を通じて入力されるアナログ電気信号を基にデジタル形式の画像データを生成し、画像の種類に応じた処理を施した後、出力用の画像データを生成する。生成した画像データは画像出力部１９又は無線通信部１６に出力される。
【００２９】
無線通信部１６は、例えばＷｉ‐Ｆｉ方式に対応できるものであり、所定近距離内の他のＷｉ‐Ｆｉ方式対応デバイス（例えば、後述のモバイル端末２）と無線での接続を行う。すなわち、無線通信部１６は、ＩＥＥＥ８０２．１１ａ／ＩＥＥＥ８０２．１１ｂ／ＩＥＥＥ８０２．１１ｎ／ＩＥＥＥ８０２．１１ｇなどいわゆる無線ＬＡＮ規格の方式により非接触通信で通信するものであり、モバイル端末２が所定の近距離内に存在した場合に、モバイル端末２の後述する無線通信部２７の通信制御プログラムと同じ通信プロトコルによって無線通信部２７との通信を確立し、データの送受信を行う。
【００３０】
また、無線通信部１６はＷＦＤ（Ｗｉ‐Ｆｉ  Ｄｉｒｅｃｔ）方式の通信が出来るように構成されている。ＷＦＤ方式は、いわゆるアクセスポイントを経由せず、ネットワークを管理するグループオーナー機器（例えば、複合機１）と、クライアント機器（モバイル端末２）とでネットワークを構築し、そのネットワーク内でデータの受け渡しを可能にする通信方式である。
【００３１】
例えば、無線通信部１６は、モバイル端末２とＰ２Ｐモード、又は、アドホックモードの通信ができるように構成されても良い。また、これに限るものでなく、サーバを介して送受信するように構成しても良い。
【００３２】
リーダライタ１５は、後述する接触・非接触ＩＣカード２６と、いわゆる非接触方式通信（ＲＦＩＤ（Radio Frequency Identification)システム）を用いたＮＦＣ方式の通信を行ない、接触・非接触の状態でのデータの送受信を行う。
【００３３】
以下、リーダライタ１５と、接触・非接触ＩＣカード２６との間における非接触方式通信を用いたＮＦＣ方式の通信について説明する。リーダライタ１５からは常時起動信号（電磁波）が送信されており、接触・非接触ＩＣカード２６及びリーダライタ１５が、互いに通信することが可能な程度にまで接近した場合に、接触・非接触ＩＣカード２６がリーダライタ１５から送出された電磁波を受信する。接触・非接触ＩＣカード２６は、前記電磁波を受信した場合、該電磁波の搬送波を整流して直流電源を生成し、それで内部回路を駆動させる。そして、接触・非接触ＩＣカード２６は、振幅変調を行い、前記起動信号に応じて応答信号をリーダライタ１５に送出する。例えば、Ｆｅｌｉｃａ（登録商標）、Ｅｄｙ（登録商標）等も採用され得る。また、リーダライタ１５は、ＮＦＣ方式の通信にてＷｉ‐Ｆｉ接続情報を接触・非接触ＩＣカード２６に送信する。
【００３４】
図３は本発明の実施の形態１に係る表示システム１００の複合機１における、制御部１１を説明する機能ブロック図である。制御部１１は、ＣＰＵ１１１と、ＲＯＭ１１２と、ＲＡＭ１１３と、取得部１１４とを備えている。
【００３５】
ＲＯＭ１１２には各種の制御プログラム、演算用のパラメータのうちの基本的に固定のデータ等が予め格納されており、ＲＡＭ１１３はデータを一時的に記憶し、記憶順、記憶位置等に関係なく読み出すことが可能である。また、ＲＡＭ１１３は、例えば、ＲＯＭ１１２から読み出されたプログラム、該プログラムを実行することにより発生する各種データ、該実行の際適宜変化するパラメータ等を記憶する。
【００３６】
ＣＰＵ１１１は、ＲＯＭ１１２に予め格納されている制御プログラムをＲＡＭ１１３上にロードして実行することによって、上述した各種ハードウェアの制御を行ない、装置全体を本発明の複合機１として動作させる。
【００３７】
取得部１１４は、自機器から所定範囲内にモバイル端末２がある場合、その際、表示部１３が表示している情報（以下、表示情報）に対応する情報であって、該表示情報を補充・説明する、前記取扱説明情報から取得できる情報（以下、対応情報）を、例えば、キーワード等を用いて該取扱説明情報から抽出して取得する。
【００３８】
一方、モバイル端末２は、制御部２１と、電話番号、画像データ等を記憶する大容量のフラッシュメモリ２４とを備えている。また、フラッシュメモリ２４には、モバイル端末２が有する画像、文書等のファイル名の一覧（コンテンツデータ）、各画像のサムネイル等のデータが記憶されている。また、フラッシュメモリ２４には、ＷＦＤ方式に従って通信を行うための通信制御プロブラムが記憶されている。
【００３９】
更に、本発明に係るモバイル端末２は、通信インタフェースを備え基地局との通信を行う基地局通信部２５と、ユーザの操作を受け付ける押釦等の操作パネル２８と、撮影により映像を取得するカメラ、音声の入力を受け付けるマイク等の入力部２３と、映像を出力する液晶モニタである表示部２２とを備えている。
【００４０】
また、接触・非接触ＩＣカード２６と、無線通信部２７とを備えている。接触・非接触ＩＣカード２６は、ＮＦＣ方式の通信を用い、リーダライタ１５と接触・非接触の状態でデータの送受信を行う。上述と同様に、Ｆｅｌｉｃａ（登録商標）、Ｅｄｙ（登録商標）等が採用され得る。また、無線通信部２７は、上述と同様に、例えばＷｉ‐Ｆｉ方式の通信に対応できるものであり、他のＷｉ‐Ｆｉ方式対応デバイス（例えば、無線通信部１６）が所定近距離内にある場合、前記他のＷｉ‐Ｆｉ方式対応デバイスと無線での接続確立及び通信を行う。
【００４１】
図４は本発明の実施の形態１に係る表示システム１００のモバイル端末２における、制御部２１を説明する機能ブロック図である。制御部２１は、装置全体を制御するＣＰＵ２１１、プログラム、各種データ等を記録するＲＯＭ２１２、高速な書込／読取が可能なＲＡＭ２１３を有している。また、制御部２１は、ユーザから特定の指示を受け付ける指示受付部２１４を備えており、指示受付部２１４は、第１指示受付部２１４１、第２指示受付部２１４２、第３指示受付部２１４３を有する。
【００４２】
第１指示受付部２１４１は、モバイル端末２が表示部２２に所定の対応情報を表示している場合、該対応情報に関連する関連情報の表示を要求する指示をユーザから受け付ける。
【００４３】
例えば、前記対応情報が「ネットワーク設定」に係るものである場合、当該関連情報は「セキュリティ設定」に係るものであり、第１指示受付部２１４１は、その際、表示部２２に表示されるソフトキーを介して、「ネットワーク設定」に関連する「セキュリティ設定」を表示部２２に表示する指示をユーザから受け付ける。
【００４４】
第２指示受付部２１４２は、モバイル端末２が表示部２２に表示している対応情報が複合機１の所定の操作の方法に係る内容を含む場合、複合機１の操作画面であって、表示中の対応情報に含まれた操作をユーザから受け付けるための操作画面を、複合機１の表示部１３に表示する指示を受け付ける。
【００４５】
例えば、前記対応情報が「ハードディスクエラー」に係るものであって、該対応情報には「ファイルの削除」の内容が含まれている場合、第２指示受付部２１４２は、その際、表示部２２に表示されるソフトキーを介して、複合機１に対してファイルを削除する操作をするための操作画面を表示部１３に表示する指示をユーザから受け付ける。
【００４６】
第３指示受付部２１４３は、モバイル端末２が表示部２２に表示している対応情報が特定の連絡先への連絡に係る内容を含む場合、前記特定連絡先との連絡に係る情報の表示を要求する指示をユーザから受け付ける。
【００４７】
例えば、前記対応情報が「ハードディスクトラブル」に係るものであって、該対応情報には「サービスマンにお問い合わせする」との内容が含まれている場合、第３指示受付部２１４３は、その際、表示部２２に表示されるソフトキーを介して、サービスマンに連絡するのに必要な情報、例えば、電話、ファック番号等の情報の表示を要求する指示をユーザから受け付ける。
【００４８】
このようにして、第１指示受付部２１４１、第２指示受付部２１４２、及び、第３指示受付部２１４３が受け付けた指示は、例えば、ＷＦＤ方式によってによって、モバイル端末２から複合機１に送信される。
【００４９】
以下、本発明の実施の形態１に係る表示システムにおける、複合機１及びモバイル端末２の通信処理及び画像表示処理について説明する。以下においては、ＷＦＤ方式によって所定情報（データ）の通信が行われる場合を例として説明する。より詳しくは、ＮＦＣＷｉ‐Ｆｉハンドオーバーによって、所定情報の通信が行われる場合を例として説明する。
【００５０】
しかし、本発明はこれに限るものでない。例えば、斯かる情報の通信がＮＦＣ方式によって行われるように構成してもよく、通常のＷｉ‐Ｆｉ方式によって行われるように構成しても良い。また、ブルートゥース方式に対応できるように構成し、ブルートゥース方式によって斯かる情報の通信が行われるようにしても良い。
【００５１】
図５は本発明の実施の形態１に係る表示システム１００において、複合機１及びモバイル端末２による処理手順を示すフローチャートである。また、説明の便宜上、ユーザが複合機１を用いてコピーを行う場合を例として説明する。更に、説明の便宜上、複合機１の表示部１３には、コピーモードにおける「両面印刷」の設定の操作をユーザから受け付ける操作画面が表示されているものとする（図６（Ａ）参照）。
【００５２】
ユーザは、モバイル端末２において、前記通信制御プログラムに係るアプリケーションを起動させる（ステップＳ２０１）。その後ユーザがモバイル端末２を複合機１の通信端末位置表示１２１にかざす。これによって、複合機１（リーダライタ１５）に対して、所定距離範囲内（例えば、１００ｍｍ）にモバイル端末２（接触・非接触ＩＣカード２６）が接近することとなり、複合機１及びモバイル端末２の間にて、ＮＦＣ方式通信の接続が確立される。
【００５３】
すなわち、上述したように、複合機１にはリーダライタ１５が設けられており、モバイル端末２には接触・非接触ＩＣカード２６が設けられている。複合機１のリーダライタ１５では、常時起動信号（電磁波）が送信されており、例えば、ユーザがモバイル端末２を、複合機１のリーダライタ１５にかざした場合には、上述した手法によって、モバイル端末２の接触・非接触ＩＣカード２６から、前記起動信号に応じた応答信号がリーダライタ１５に送出される。この際、相互間の認証が行われ、複合機１及びモバイル端末２の間にて、ＮＦＣ方式通信の接続が確立される（ステップＳ１０１、ステップＳ２０２）。
【００５４】
以降においては、複合機１及びモバイル端末２間にて所定情報の送受信が行われる。斯かる情報の送受信は、このまま、セキュリティ性の優れたＮＦＣ方式によって行われるように構成してもよく、高速通信が可能なＷＦＤ方式によって行われるように構成しても良い。以下においては、斯かる情報の送受信がＷＦＤ方式によって行われる場合を例として説明する。より詳しくは、現在のＮＦＣ方式から、Ｗｉ‐Ｆｉ方式へのハンドオーバー（ＮＦＣＷｉ‐Ｆｉハンドオーバー）によって、斯かる情報の通信が行われる場合を例として説明する。
【００５５】
モバイル端末２のＣＰＵ２１１は、ＮＦＣ方式通信によって、複合機１にハンドオーバーを要求する（ステップＳ２０３）。
【００５６】
モバイル端末２からのハンドオーバーの要求に対して、複合機１のＣＰＵ１１１がＮＦＣ方式通信にて応答する（ステップＳ１０２）。この際、ＣＰＵ１１１は、記憶部１４に記憶されている前記Ｗｉ‐Ｆｉ接続情報を読み出し、ＮＦＣ方式通信にてモバイル端末２に送信する（ステップＳ１０３）。
【００５７】
以上の処理によって、複合機１及びモバイル端末２の間には、ＷＦＤ方式通信の接続が確立される（ステップＳ１０４、ステップＳ２０４）。
【００５８】
一方、上述したように、この際、複合機１の表示部１３には、コピーモードにおける「両面印刷」の設定の操作をユーザから受け付ける操作画面が表示されている。
【００５９】
従って、取得部１１４は、記憶部１４に記憶されている取扱説明情報中から、表示部１３に表示中の情報（以下、表示情報）に対応する対応情報を読み出して取得する（ステップＳ１０５）。
【００６０】
すなわち、本実施の形態においては、表示部１３に「両面印刷」の設定の操作画面が表示されているので、取得部１１４は、前記取扱説明情報から「両面印刷」に対応する対応情報を抽出して取得する。ここで「両面印刷」に対応する対応情報とは、例えば、両面印刷の説明、両面印刷の実行のための操作方法等を含む。
【００６１】
ＣＰＵ１１１は、取得部１１４によって取得された対応情報をモバイル端末２に送信するよう、無線通信部１６に指示する。ＣＰＵ１１１からの指示に応じて、無線通信部１６が斯かる対応情報をＷＦＤ方式通信によってモバイル端末２に送信する（ステップＳ１０６）。
【００６２】
この際、モバイル端末２においては、無線通信部２７が、複合機１から送信された対応情報を受信する（ステップＳ２０５）。
【００６３】
次いで、ＣＰＵ２１１は、無線通信部２７が受信した対応情報を表示するよう、表示部２２に指示する。ＣＰＵ２１１の指示に応じて、表示部２２は無線通信部２７が受信した対応情報に係る画像を表示する（ステップＳ２０６）。
【００６４】
すなわち、複合機１の表示部１３には、「両面印刷」の設定の操作画面が表示されていたので、「両面印刷」に係る対応情報がモバイル端末２の表示部２２に表示される（図６（Ｂ）参照）。
【００６５】
また、本発明に係る表示システム１００は以上の記載に限るものでない。モバイル端末２の表示部２２に所定の対応情報が表示されている状態にて、ユーザが複合機１を操作して表示部１３の表示情報を変更する場合が想定される。この場合、本発明に係る表示システム１００においては、変更の都度、該変更後の表示部１３の表示情報に対応する対応情報がモバイル端末２の表示部２２に表示される。以下、図７に基づいて詳しく説明する。
【００６６】
図７は本発明に係る表示システム１００における、対応情報の表示の一例を示す例示図である。図７（Ａ）に示したように、表示部１３には「両面印刷」の設定の操作画面が表示され、表示部２２には該「両面印刷」に係る対応情報が表示されているものとする。この場合、ユーザが複合機１を操作し、表示部１３に表示する表示情報を、例えば、システム設定における「ＴＣＰ／ＩＰ設定」に変更することが想定できる。
【００６７】
この際、複合機１の取得部１１４が前記取扱説明情報中から、変更された表示情報、すなわち、「ＴＣＰ／ＩＰ設定」に対応する対応情報を読み出し、無線通信部１６が、取得部１１４によって取得された対応情報を、ＷＦＤ方式通信によってモバイル端末２に送信する。
【００６８】
以降、モバイル端末２においては、表示部２２が、複合機１から送信された、「ＴＣＰ／ＩＰ設定」に対応する対応情報を表示する（図７（Ｂ）参照）。
【００６９】
実施の形態１に係る表示システム１００は、以上のような構成を有することから、例えば、複合機１が表示部を有しない場合であっても、モバイル端末２の表示部２２に複合機１の取扱説明情報を表示させて、複合機１を適切に操作することができる。
【００７０】
また、実施の形態１に係る表示システム１００は、以上のような構成を有することから、体が不自由で、車椅子を利用することにより、複合機１の表示部１３を視認しながら複合機１を操作することが困難であるユーザであっても、モバイル端末２の表示部２２に複合機１の取扱説明情報を表示させて、複合機１を適切に操作することができる。
【００７１】
また、実施の形態１に係る表示システム１００は、以上のような構成を有することから、例えば、複合機１の表示部が小さいうえに、自機の取扱説明情報を該表示部に表示させる場合は該表示部を分割して表示することから、表示情報の視認が容易でないような場合でも、モバイル端末２の表示部２２に複合機１の取扱説明情報を表示させて、複合機１を適切に操作することができる。
【００７２】
（実施の形態２）
本発明の実施の形態２に係る表示システム１００は、実施の形態１に係る表示システム１００と同様の構成を有するが、ウェブサーバ３が複合機１に係る取扱説明情報を有している。また、本発明の実施の形態２に係る表示システム１００においては、記憶部１４に、取得された対応情報の情報量の比較に用いられる閾値と、前記取扱説明情報のＵＲＬが記憶されている。より詳しくは、前記取扱説明情報のコンテンツ毎のＵＲＬが記憶されている。
【００７３】
図８は本発明の実施の形態２に係る表示システム１００において、複合機１及びモバイル端末２による処理手順を示すフローチャートである。また、説明の便宜上、ユーザが複合機１を用いてコピーを行う場合を例として説明する。更に、説明の便宜上、この際、複合機１の表示部１３には、コピーモードにおける「両面印刷」の設定の操作をユーザから受け付ける操作画面が表示されているものとする（図６（Ａ）参照）。
【００７４】
ユーザは、モバイル端末２において、前記通信制御プロブラムに係るアプリケーションを起動させる（ステップＳ４０１）。その後ユーザがモバイル端末２を複合機１の通信端末位置表示１２１にかざす。これによって、複合機１（リーダライタ１５）に対して、所定距離範囲内（例えば、１００ｍｍ）にモバイル端末２（接触・非接触ＩＣカード２６）が接近することとなり、複合機１及びモバイル端末２の間にて、ＮＦＣ方式通信の接続が確立される。（ステップＳ３０１、ステップＳ４０２）。
【００７５】
以降においては、複合機１及びモバイル端末２間にて、ＮＦＣＷｉ‐Ｆｉハンドオーバーによって、所定情報の通信が行われる場合を例として説明する。
【００７６】
モバイル端末２のＣＰＵ２１１は、ＮＦＣ方式通信によって、複合機１にハンドオーバーを要求する（ステップＳ４０３）。
【００７７】
モバイル端末２からのハンドオーバーの要求に対して、複合機１のＣＰＵ１１１がＮＦＣ方式通信にて応答する（ステップＳ３０２）。この際、ＣＰＵ１１１は、前記Ｗｉ‐Ｆｉ接続情報をＮＦＣ方式通信にてモバイル端末２に送信する（ステップＳ３０３）。
【００７８】
以上の処理によって、複合機１及びモバイル端末２の間には、ＷＦＤ方式通信の接続が確立される（ステップＳ３０４、ステップＳ４０４）。
【００７９】
一方、この際、複合機１の表示部１３には、コピーモードにおける「両面印刷」の設定の操作をユーザから受け付ける操作画面が表示されている。従って、ＣＰＵ１１１は記憶部１４に記憶されている前記取扱説明情報から「両面印刷」に対応する対応情報を抽出して、抽出された対応情報の情報量が前記閾値以上であるか否かを判定する（ステップＳ３０５）。該閾値は、例えば、１megabyteである。
【００８０】
ＣＰＵ１１１は、斯かる対応情報の情報量が前記閾値以上であると判定した場合（ステップＳ３０５：ＹＥＳ）、取得部１１４が取得すべき対応情報に対応する前記取扱説明情報のＵＲＬを表す情報（以下、ＵＲＬ情報という）を記憶部１４から、読み出し、該ＵＲＬ情報をモバイル端末２に送信するように、無線通信部１６に指示する。ＣＰＵ１１１の指示に応じて、無線通信部１６は前記取扱説明情報のＵＲＬ情報をＷＦＤ方式通信によってモバイル端末２に送信する（ステップＳ３０８）。
【００８１】
この際、モバイル端末２においては、無線通信部２７が、複合機１から送信されたＵＲＬ情報を受信する（ステップＳ４０５）。
【００８２】
次いで、ＣＰＵ２１１は、無線通信部２７が受信したＵＲＬ情報を表示するよう、表示部２２に指示する。ＣＰＵ２１１の指示に応じて、表示部２２は無線通信部２７が受信したＵＲＬ情報に基づきＵＲＬを表示する（ステップＳ４０６）。
【００８３】
一方、ＣＰＵ１１１によって対応情報の情報量が前記閾値未満であると判定された場合（ステップＳ３０５：ＮＯ）、取得部１１４は、斯かる対応情報を読み出して取得する（ステップＳ３０６）。
【００８４】
次いで、ＣＰＵ１１１は、取得部１１４によって取得された対応情報をモバイル端末２に送信するよう、無線通信部１６に指示する。ＣＰＵ１１１からの指示に応じて、無線通信部１６が斯かる対応情報をＷＦＤ方式通信によってモバイル端末２に送信する（ステップＳ３０７）。
【００８５】
この際、モバイル端末２においては、無線通信部２７が、複合機１から送信された対応情報を受信する（ステップＳ４０５）。次いで、表示部２２は無線通信部２７が受信した対応情報に斯かる画像を表示する（ステップＳ４０６）。
【００８６】
実施の形態２に係る表示システム１００は、以上のような構成を有することから、所定情報の受信のため、ユーザを長時間待たせることを防ぐことができる。ユーザは斯かるＵＲＬを用いてより高速通信にて必要な情報を取得すれば良い。
【００８７】
また、実施の形態２に係る表示システム１００は、上記の構成に限るものでない。例えば、取扱説明情報のアップデート等が必要な場合、アップデートに係る部分に関しては、上述したように対応情報としてＵＲＬを表示するように構成しても良い。これによって、各複合機１に対して、取扱説明情報のアップデート等を実施する必要はなく、ウェブサーバ３に対してのみ取扱説明情報のアップデート等を実施すれば良い。
【００８８】
実施の形態１と同様の部分については、同一の符号を付して詳細な説明を省略する。
【００８９】
（実施の形態３）
本発明の実施の形態３に係る表示システム１００は、実施の形態１に係る表示システム１００と同様の構成を有するが、記憶部１４の構成において相異する。記憶部１４は前記取扱説明情報を記憶する際、一部のコンテンツ（内容）を、これと関連する他のコンテンツと関連付けて記憶している。すなわち、記憶部１４では、取扱説明情報において、一つのコンテンツと、これに関連する他のコンテンツが関連情報として紐付けられて記憶されている。
【００９０】
図９は本発明の実施の形態３に係る表示システム１００において、複合機１及びモバイル端末２による処理手順を示すフローチャートである。また、説明の便宜上、ユーザが複合機１を用いてコピーを行う場合を例として説明する。
【００９１】
図９において、ステップＳ５０１からステップＳ５０５まで、また、ステップＳ６０１からステップＳ６０４までは、実施の形態１における図５のステップＳ１０１からステップＳ１０５まで、また、ステップＳ２０１からステップＳ２０４までの処理と各々同一であるので、詳しい説明を省略する。
【００９２】
一方、実施の形態３においては、ステップＳ５０６で、複合機１の無線通信部１６が斯かる対応情報をＷＦＤ方式通信によってモバイル端末２に送信するのみでなく、該対応情報に係るインデックス情報を共に送信する（ステップＳ５０６）。ここで、前記インデックス情報とは、当該対応情報に係るコンテンツに紐付けられている他のコンテンツ（関連情報）を表す情報である。
【００９３】
また、モバイル端末２の無線通信部２７は、ＷＦＤ方式通信にて、複合機１から送信された対応情報及びインデックス情報を受信する（ステップＳ６０５）。
【００９４】
次いで、ＣＰＵ２１１は、無線通信部２７が受信した対応情報及びインデックス情報を表示するよう、表示部２２に指示する。ＣＰＵ２１１の指示に応じて、表示部２２は無線通信部２７が受信した対応情報及びインデックス情報に係る画像を表示する（ステップＳ６０６）。以下、説明の便宜上、無線通信部２７が受信した対応情報は「ネットワーク設定」とのコンテンツに係るものであり、該コンテンツに対する関連情報としては「セキュリティ設定」のコンテンツが紐付けられているものとする。
【００９５】
図１０は本発明の実施の形態３に係る表示システム１００のモバイル端末２における、対応情報及び関連情報の表示を例示する例示図である。ステップＳ６０６においては、例えば、図１０（Ａ）のような表示が行われる。
【００９６】
すなわち、表示部２２には、無線通信部２７が受信した対応情報に基づいて「ネットワーク設定」に対する説明が表示される。また、表示部２２には、無線通信部２７が受信したインデックス情報に基づいて、「ネットワーク設定」に係る関連情報を表す「セキュリティ設定」ソフトキー２２１が設けられている。
【００９７】
すなわち、当該インデックス情報に基づいて、「セキュリティ設定」ソフトキー２２１が設けられており、例えば、ユーザが「セキュリティ設定」ソフトキー２２１をタッチ操作した場合、指示受付部２１４の第１指示受付部２１４１は、対応情報である「ネットワーク設定」の関連情報である「セキュリティ設定」の表示の要求をユーザから受け付けることができる。
【００９８】
従って、上述したように、ユーザが「セキュリティ設定」ソフトキー２２１をタッチ操作した場合、第１指示受付部２１４１は前記「セキュリティ設定」ソフトキー２２１を介して「セキュリティ設定」の表示の要求を受け付ける（ステップＳ６０７）。
【００９９】
次いで、ＣＰＵ２１１は、関連情報である「セキュリティ設定」のコンテンツを複合機１に要求するよう、無線通信部２７に指示する。ＣＰＵ２１１の指示に応じて、無線通信部２７は、ＷＦＤ方式通信にて、「セキュリティ設定」のコンテンツを要求する指示を複合機１に送信する（ステップＳ６０８）。
【０１００】
この際、複合機１では、無線通信部１６が、モバイル端末２からの当該関連情報の要求の指示を受信する（ステップＳ５０７）。
【０１０１】
次いで、ＣＰＵ１１１は、取得部１１４に「セキュリティ設定」のコンテンツ（関連情報）を取扱説明情報から取得するよう指示する。ＣＰＵ１１１の指示に応じて、取得部１１４は、該取扱説明情報中から、「セキュリティ設定」のコンテンツを読み出して取得する（ステップＳ５０８）。
【０１０２】
また、無線通信部１６が取得部１１４によって取得された「セキュリティ設定」のコンテンツ（関連情報）をＷＦＤ方式通信によってモバイル端末２に送信する（ステップＳ５０９）。
【０１０３】
この際、モバイル端末２においては、無線通信部２７が、複合機１から送信された「セキュリティ設定」のコンテンツ（関連情報）を受信する（ステップＳ６０９）。
【０１０４】
次いで、ＣＰＵ２１１は、無線通信部２７が受信した、関連情報である「セキュリティ設定」のコンテンツを表示するよう、表示部２２に指示する。ＣＰＵ２１１の指示に応じて、表示部２２は「セキュリティ設定」のコンテンツに係る画像を表示する（ステップＳ６１０）。
【０１０５】
すなわち、モバイル端末２の表示部２２には、既に表示されていた対応情報である「ネットワーク設定」に対する説明の代わりに、「ネットワーク設定」の関連情報である「セキュリティ設定」に対する説明が表示される（図１０（Ｂ）参照）。
【０１０６】
実施の形態３に係る表示システム１００は、以上のような構成を有することから、モバイル端末２の表示部２２に表示されていた対応情報に係る関連情報を、複合機１を操作することなく簡単に入手できる。
【０１０７】
実施の形態１と同様の部分については、同一の符号を付して詳細な説明を省略する。
【０１０８】
（実施の形態４）
本発明の実施の形態４に係る表示システム１００は、実施の形態１に係る表示システム１００と同様の構成を有するが、記憶部１４の構成において相異する。記憶部１４は前記取扱説明情報を記憶する際、一つのコンテンツ（内容）を、これと関連する特定の操作画面と関連付けて記憶している。すなわち、記憶部１４では、一つのコンテンツと、自機に係る操作をユーザから受け付ける操作画面に対する情報（以下、関連操作画面情報）が紐付けられて記憶されている。例えば、「ハードディスクエラー」とのコンテンツに対しては、削除すべきファイルの選択をユーザから受け付ける「ファイルの削除」の操作画面が、「ネットワーク設定」とのコンテンツに対しては、ユーザの設定入力を受け付ける「設定入力」の操作画面が紐付けられている。
【０１０９】
図１１は本発明の実施の形態４に係る表示システム１００において、複合機１及びモバイル端末２による処理手順を示すフローチャートである。また、説明の便宜上、ユーザが複合機１を用いてコピーを行う場合を例として説明する。
【０１１０】
図１１において、ステップＳ７０１からステップＳ７０５まで、また、ステップＳ８０１からステップＳ８０４までは、実施の形態１における図５のステップＳ１０１からステップＳ１０５まで、また、ステップＳ２０１からステップＳ２０４までの処理と各々同一であるので、詳しい説明を省略する。
【０１１１】
一方、実施の形態４においては、ステップＳ７０６で、複合機１の無線通信部１６が斯かる対応情報をＷＦＤ方式通信によってモバイル端末２に送信するのみでなく、該対応情報に係る前記関連操作画面情報を共に送信する（ステップＳ７０６）。
【０１１２】
また、モバイル端末２の無線通信部２７は、ＷＦＤ方式通信にて、複合機１から送信された対応情報及び前記関連操作画面情報を受信する（ステップＳ８０５）。
【０１１３】
次いで、ＣＰＵ２１１は、無線通信部２７が受信した対応情報及び関連操作画面情報を表示するよう、表示部２２に指示する。ＣＰＵ２１１の指示に応じて、表示部２２は無線通信部２７が受信した対応情報及び関連操作画面情報に係る画像を表示する（ステップＳ８０６）。以下、説明の便宜上、無線通信部２７が受信した対応情報は「ハードディスクエラー」とのコンテンツに係るものであり、該コンテンツに対する関連操作画面情報としては「ファイルの削除」のコンテンツが紐付けられているものとする。
【０１１４】
図１２は本発明の実施の形態３に係る表示システム１００のモバイル端末２における、対応情報及び関連操作画面情報の表示を例示する例示図である。
【０１１５】
すなわち、表示部２２には、無線通信部２７が受信した対応情報に基づいて「ハードディスクエラー」に対する説明が表示される。また、表示部２２には、無線通信部２７が受信した関連操作画面情報に基づいて、「ハードディスクエラー」に係る関連操作画面を表す「ファイルの削除」ソフトキー２２２が設けられている。
【０１１６】
すなわち、当該関連操作画面情報に基づいて、「ファイルの削除」ソフトキー２２２が設けられており、例えば、ユーザが「ファイルの削除」ソフトキー２２２をタッチ操作した場合、指示受付部２１４の第２指示受付部２１４２は、対応情報である「ハードディスク」紐付けられている「ファイルの削除」の操作画面を複合機１の表示部１３に表示する指示をユーザから受け付けることができる。
【０１１７】
従って、上述したように、ユーザが「ファイルの削除」ソフトキー２２２をタッチ操作した場合、第２指示受付部２１４２は前記「ファイルの削除」ソフトキー２２２を介して「ファイルの削除」の操作画面を複合機１の表示部１３に表示する指示を受け付ける（ステップＳ８０７）。
【０１１８】
次いで、ＣＰＵ２１１は、「ファイルの削除」の操作画面を表示するよう複合機１に指示することを無線通信部２７に指示する。ＣＰＵ２１１の指示に応じて、無線通信部２７は、ＷＦＤ方式通信にて、「ファイルの削除」の操作画面を表示部１３に表示する指示を複合機１に送信する（ステップＳ８０８）。
【０１１９】
この際、複合機１では、無線通信部１６が、モバイル端末２からの当該指示を受信する（ステップＳ７０７）。
【０１２０】
次いで、ＣＰＵ１１１は、表示部１３に「ファイルの削除」の操作画面を表示するよう指示する。ＣＰＵ１１１の指示に応じて、表示部１３は「ファイルの削除」の操作画面を表示する（ステップＳ７０８）。
【０１２１】
以降、ユーザは、表示部１３に表示された「ファイルの削除」の操作画面を用いて、例えば、ハードディスクエラーの原因となったファイルを削除する等を措置をとることができる。
【０１２２】
実施の形態４に係る表示システム１００は、以上のような構成を有することから、複合機１の現在に運転状態に関連する操作を、複合機１を直接操作することなく、より簡単に行うことができる。
【０１２３】
実施の形態１と同様の部分については、同一の符号を付して詳細な説明を省略する。
【０１２４】
（実施の形態５）
本発明の実施の形態５に係る表示システム１００は、実施の形態１に係る表示システム１００と同様の構成を有するが、記憶部１４の構成において相異する。記憶部１４は、前記取扱説明情報における一つのコンテンツ（内容）が特定の連絡先に係る内容を含む場合、該連絡先への連絡のための情報を、該一つのコンテンツと関連付けて記憶している。
【０１２５】
ここで、特定の連絡先に係る内容を含む場合の具体的例としては、サービスマン（又は、サービスセンター）への連絡を勧告する内容、周辺機器、消耗品等の販売店を案内する内容、アプリケーションのダウンロード元を案内する内容等を含む。
【０１２６】
また、特定の連絡先としては、例えば、サービスマン、サービスセンター、販売店、ダウンロード元等が含まれ、特定の連絡先への連絡のための情報（以下、特定連絡先情報という）としては、これら、サービスマン、サービスセンター、販売店、ダウンロード元の電話番号、ＵＲＬ等が含まれる。
【０１２７】
図１３は本発明の実施の形態５に係る表示システム１００において、複合機１及びモバイル端末２による処理手順を示すフローチャートである。また、説明の便宜上、ユーザが複合機１を用いてコピーを行う場合を例として説明する。
【０１２８】
図１３において、ステップＳ９０１からステップＳ９０５まで、また、ステップＳ１００１からステップＳ１００４までは、実施の形態１における図５のステップＳ１０１からステップＳ１０５まで、また、ステップＳ２０１からステップＳ２０４までの処理と各々同一であるので、詳しい説明を省略する。
【０１２９】
一方、実施の形態５においては、ステップＳ９０６で、複合機１の無線通信部１６が斯かる対応情報をＷＦＤ方式通信によってモバイル端末２に送信するのみでなく、該対応情報に係る連絡先概要情報を共に送信する（ステップＳ９０６）。ここで、前記連絡先概要情報とは、当該対応情報に係るコンテンツが特定の連絡先に係る内容を含む場合、該コンテンツに紐付けられている特定の連絡先の概要を表す情報である。
【０１３０】
また、モバイル端末２の無線通信部２７は、ＷＦＤ方式通信にて、複合機１から送信された対応情報及び前記連絡先概要情報を受信する（ステップＳ１００５）。
【０１３１】
次いで、ＣＰＵ２１１は、無線通信部２７が受信した対応情報及び連絡先概要情報を表示するよう、表示部２２に指示する。ＣＰＵ２１１の指示に応じて、表示部２２は無線通信部２７が受信した対応情報及び連絡先概要情報に係る画像を表示する（ステップＳ１００６）。以下、説明の便宜上、無線通信部２７が受信した対応情報は「ハードディスクトラブル」とのコンテンツに係るものであり、該コンテンツに対する連絡先概要情報としては「サービスマンの連絡先」が紐付けられているものとする。
【０１３２】
図１４は本発明の実施の形態５に係る表示システム１００のモバイル端末２における、対応情報及び連絡先概要情報の表示を例示する例示図である。
【０１３３】
すなわち、表示部２２には、無線通信部２７が受信した対応情報に基づいて「ハードディスクトラブル」に対する説明が表示され、該説明は、特定の連絡先に係る内容、すなわち、特定の連絡先である、サービスマンへの連絡を促す内容が含まれている。
【０１３４】
また、表示部２２には、無線通信部２７が受信した連絡先概要情報に基づいて、「サービスマンに係る特定連絡先情報」が紐付けられている旨を表す「サービスマンに連絡する」ソフトキー２２３が設けられている。
【０１３５】
すなわち、当該連絡先概要情報に基づいて、「サービスマンに連絡する」ソフトキー２２３が設けられており、例えば、ユーザが「サービスマンに連絡する」ソフトキー２２３をタッチ操作した場合、指示受付部２１４の第３指示受付部２１４３は、対応情報である「ハードディスクトラブル」に係る特定連絡先情報の要求をユーザから受け付けることができる。
【０１３６】
換言すれば、ユーザが「サービスマンに連絡する」ソフトキー２２３をタッチ操作した場合、第３指示受付部２１４３は、特定の連絡先であるサービスマンへの連絡のための電話番号、メールアドレス等を表示するよう要求することができる。
【０１３７】
従って、上述したように、ユーザが「サービスマンに連絡する」ソフトキー２２３をタッチ操作した場合、第３指示受付部２１４３は前記「サービスマンに連絡する」ソフトキー２２３を介して、対応情報である「ハードディスクトラブル」に係る特定連絡先情報を要求を受け付ける（ステップＳ１００７）。
【０１３８】
次いで、ＣＰＵ２１１は、対応情報である「ハードディスクトラブル」に係る特定連絡先情報を複合機１に要求するよう、無線通信部２７に指示する。ＣＰＵ２１１の指示に応じて、無線通信部２７は、ＷＦＤ方式通信にて、対応情報である「ハードディスクトラブル」に係る特定連絡先情報を要求する指示を複合機１に送信する（ステップＳ１００８）。
【０１３９】
この際、複合機１では、無線通信部１６が、モバイル端末２からの当該指示を受信する（ステップＳ９０７）。
【０１４０】
次いで、ＣＰＵ１１１は「ハードディスクトラブル」に係る特定連絡先情報を記憶部１４から取得する（ステップＳ９０８）。
【０１４１】
また、無線通信部１６は取得された「ハードディスクトラブル」に係る特定連絡先情報をＷＦＤ方式通信によってモバイル端末２に送信する（ステップＳ９０９）。
【０１４２】
この際、モバイル端末２においては、無線通信部２７が、複合機１から送信された「ハードディスクトラブル」に係る特定連絡先情報を受信する（ステップＳ１００９）。
【０１４３】
次いで、ＣＰＵ２１１は、無線通信部２７が受信した「ハードディスクトラブル」に係る特定連絡先情報を表示するよう、表示部２２に指示する。ＣＰＵ２１１の指示に応じて、表示部２２は対応情報である「ハードディスクトラブル」に係る特定連絡先情報に係る画像を表示する（ステップＳ１０１０）。すなわち、表示部２２は、該特定連絡先情報に基づいて、特定の連絡先であるサービスマンへの連絡のための電話番号、メールアドレス等を表示する。
【０１４４】
また、本発明の実施の形態５に係る発明は以上の記載に限るものでない。以上の記載においては、特定連絡先情報がモバイル端末２側に表示される場合を例として説明したが、これに限るものでなく、複合機１側に表示されるように構成しても良い。
【０１４５】
更に、以上の記載においては、特定連絡先情報がモバイル端末２側に表示されるのみである場合を例として説明したが、これに限るものでない。例えば、斯かる表示と共に、複合機１がネットワークを介して、斯かる特定の連絡先に連絡するように構成しても良い。
【０１４６】
実施の形態５に係る表示システム１００は、以上のような構成を有することから、サービスマン、サービスセンター等と連絡をする必要がある場合、容易に連絡先を入手できる。
【０１４７】
実施の形態１と同様の部分については、同一の符号を付して詳細な説明を省略する。
【０１４８】
また、本発明は、以上の記載に限るものでない。例えば、実施の形態３から５に係る構成を全て有するように構成してもよく、実施の形態３から５に係る構成のうち、幾つかを組み合わせた構成であっても良い。
【０１４９】
なお、上述した取得部１１４、第１指示受信部２１４１、第２指示受信部２１４２、第３指示受信部２１４３は、ハードウェアロジックによって構成してもよいし、ＣＰＵ１１１又はＣＰＵ２１１が所定のプログラムを実行することにより、ソフトウェア的に構築されてもよい。      
【０１５０】
本発明の実施態様１においては、自機器の運転に係る情報を表示する表示部１３を備える電気機器１と、該電気機器１と無線通信可能であり、前記電気機器１から受信した情報に基づく画像を表示する表示装置２とを含む表示システム１００において、前記電気機器１は、自機器から所定範囲内に前記表示装置２がある場合、前記表示部１３が表示中の表示情報に対応する対応情報を、自機器の取扱説明情報から取得する取得手段１１４と、取得された対応情報を前記表示装置２に送信する送信部１６とを備え、前記表示装置２は、前記電気機器１から前記対応情報を受信して表示するように構成されていることを特徴とする。
【０１５１】
本発明によれば、前記電気機器の取得手段は、自機器から所定範囲内に前記表示装置がある場合、前記表示部が表示中の表示情報に対応する対応情報を、自機器の取扱説明情報から取得し、前記送信部が取得された対応情報を前記表示装置に送信する。前記表示装置は、前記電気機器から前記対応情報を受信して表示する。
【０１５２】
本発明の実施態様２においては、前記表示装置２が一の対応情報を表示中に、前記表示部１３での表示情報が変更された場合、前記取得手段１１４が変更後の表示情報に対応する他の対応情報を前記取扱説明情報から取得し、前記表示装置２が前記他の対応情報を表示するように構成されていることを特徴とする。
【０１５３】
本発明によれば、前記表示部に表示中の表示情報が変更された場合、前記取得手段が変更後の表示情報に対応する他の対応情報を前記取扱説明情報から取得し、取得された他の対応情報が前記表示装置に送信され、前記表示装置に前記他の対応情報が表示される。
【０１５４】
本発明の実施態様３においては、前記表示装置２は、表示中の対応情報に係る指示であって、前記電気機器１に送信すべき指示を受け付ける指示受付手段２１４を備え、前記指示を前記電気機器１に送信するように構成していることを特徴とする。
【０１５５】
本発明によれば、前記指示受付手段が前記電気機器に送信すべき指示をユーザから受け付けた場合、前記表示装置は前記指示受付手段が受け付けた指示を前記電気機器に送信して実行を指示する。
【０１５６】
本発明の実施態様４においては、前記指示受付手段２１４は、前記表示装置２が表示中の対応情報に関連する関連情報の表示を要求する指示を受け付ける第１指示受付手段２１４１を有することを特徴とする。
【０１５７】
本発明によれば、前記第１指示受付手段が前記関連情報の表示を要求する指示をユーザから受け付けた場合、前記表示装置は前記第１指示受付手段が受け付けた指示を前記電気機器に送信して実行を指示する。
【０１５８】
本発明の実施態様５においては、前記指示受付手段２１４は、表示中の対応情報が前記電気機器１の操作の方法に係る内容を含む場合、前記操作を受け付ける操作画面を前記表示部１３に表示する指示を受け付ける第２指示受付手段２１４２を有することを特徴とする。
【０１５９】
本発明によれば、前記第２指示受付手段が前記操作画面を前記表示部に表示する指示をユーザから受け付けた場合、前記表示装置は前記第２指示受付手段が受け付けた指示を前記電気機器に送信して実行を指示する。
【０１６０】
本発明の実施態様６においては、前記指示受付手段２１４は、表示中の対応情報が特定連絡先への連絡に係る内容を含む場合、前記特定連絡先との連絡に係る情報の表示を要求する指示を受け付ける第３指示受付手段２１４３を有することを特徴とする。
【０１６１】
本発明によれば、前記第３指示受付手段が前記特定連絡先との連絡に係る情報の表示を要求する指示をユーザから受け付けた場合、前記表示装置は前記第１指示受付手段が受け付けた指示を前記電気機器に送信して実行を指示する。
【０１６２】
本発明の実施態様７においては、前記取扱説明情報を記憶しているウェブサーバ３を備え、前記取得手段１１４が取得すべき情報量が閾値以上である場合、前記送信部１６が前記ウェブサーバのＵＲＬを前記表示装置２に送信するように構成されていることを特徴とする。
【０１６３】
本発明によれば、前記取得手段が取得すべき情報量が閾値以上である場合、前記送信部が前記ウェブサーバのＵＲＬを、より詳しくは、前記取得手段が取得すべき情報に係るＵＲＬを前記表示装置に送信するので、ユーザが斯かるＵＲＬを用いて前記ウェブサーバにアクセスできる。
【０１６４】
本発明の実施態様８においては、前記電気機器１及び表示装置２は互いにＮＦＣ方式を用いて通信するように構成されていることを特徴とする。
【０１６５】
本発明によれば、前記電気機器及び表示装置の間にて通信を行う場合、互いにＮＦＣ方式を用いて通信する。
【符号の説明】
【０１６６】
１  複合機
２  モバイル端末
３  ウェブサーバ
１３  表示部
１５  リーダライタ
１６  無線通信部
２２  表示部
１００  表示システム
１１１  ＣＰＵ
２１１  ＣＰＵ
２１４  指示受付部
２１４１  第１指示受付部
２１４２  第２指示受付部
２１４３  第３指示受付部
【図１】
0006316678.tif 000002
【図２】
0006316678.tif 000003
【図３】
0006316678.tif 000004
【図４】
0006316678.tif 000005
【図５】
0006316678.tif 000006
【図６】
0006316678.tif 000007
【図７】
0006316678.tif 000008
【図８】
0006316678.tif 000009
【図９】
0006316678.tif 000010
【図１０】
0006316678.tif 000011
【図１１】
0006316678.tif 000012
【図１２】
0006316678.tif 000013
【図１３】
0006316678.tif 000014
【図１４】
0006316678.tif 000015